(57)【要約】      （修正有）【課題】チェーン部分をファイバー部として丈夫な構造にして、更に形状を変化させて利用形態を多様にでき、暗い所でもファイバー部分を発光させることでキーの操作性を向上させることができるキーライトを提供する。【解決手段】キーが取り付けられるリング部２と、電池を内蔵して操作部１２ａの操作によって点灯又は点滅して、容易に切断しないストレート型ファイバー部１とを有し、ストレート型ファイバー部１の一端では第１の端部１２がリング部２に取り付けられ、ストレート型ファイバー部１の他端では第２の端部１３がリング部２に取り外し可能に接続されるキーライトである。【選択図】図１
0003199774.tif 000002
【実用新案登録請求の範囲】
【請求項１】
キーライトであって、
キーが取り付けられるリング部と、
発光する本体部、前記本体部の一端に接続する第１の端部、前記本体部の他端に接続する第２の端部とを有するファイバー部とを備え、
前記リング部は、前記第１の端部又は前記第２の端部に接続し、
前記本体部を発光させる電源と制御部を、前記第１の端部又は前記第２の端部に設けたことを特徴とするキーライト。
【請求項２】
ファイバー部の本体部をストレート型とし、前記本体部を折り曲げ可能としたことを特徴とする請求項１記載のキーライト。
【請求項３】
ファイバー部の本体部をコイル型とし、前記本体部を伸び縮み可能としたことを特徴とする請求項１記載のキーライト。
【請求項４】
リング部を第１の端部に接続し、電源と制御部を前記第１の端部に設け、第２の端部にカラビナ部を接続したことを特徴とする請求項１又は２記載のキーライト。
【請求項５】
リング部を第２の端部に接続し、電源と制御部を第１の端部に設け、前記第１の端部にカラビナ部を接続したことを特徴とする請求項１又は３記載のキーライト。
【請求項６】
制御部は、本体部を点灯又は点滅させるよう発光させることを特徴とする請求項１乃至５のいずれか記載のキーライト。
【請求項７】
本体部は、芯材として導電性の金属線からなる中央電極、当該中央電極を覆うように、誘電層、発光体となる混合物層、透明電極、バリヤ層、ポリマー層を順に積層したことを特徴とする請求項１乃至６のいずれか記載のキーライト。
【考案の詳細な説明】
【技術分野】
【０００１】
本考案は、キーが取り付けられて本体が発光するキーライトに係り、特に、形状を変化させて利用形態を多様にでき、暗い所でもキーの操作性を向上させるキーライトに関する。
【背景技術】
【０００２】
［先行技術の説明］
従来のキーチェーンは、キーが取り付けられるリング部と、当該リング部に一端が取り付けられ、他端がベルト通し等に取り付けられるチェーン部とから構成されている。
【０００３】
［関連技術］
尚、関連する先行技術としては、特開２０００−１３４２９４号公報「携帯通受信装置用ストラップ」（山野辺好三）［特許文献１］、特開２０１４−０５３７９９号公報「携帯端末、該携帯端末に固定されるストラップワイヤ及びアクセサリ付きストラップウイヤ」（ＮＥＣアクセステクニカ株式会社）［特許文献２］、実用新案登録第３０３９８５３号公報「ヒカルストラップ」（有限会社サクセス・プランニング）［特許文献３］、実用新案登録第３０６５２６３号公報「無線通信機器類の飾り」（高橋信）［特許文献４］がある。
【０００４】
特許文献１，３には、携帯端末の着信の動作によりストラップのループが発光することが記載されている。
特許文献２には、携帯端末にストラップワイヤが挿入可能で、その挿入口に光源が設けられて、ストラップワイヤを発光させることが記載されている。
特許文献４には、携帯端末用のストラップが発光性を有する材料で形成されていることが記載されている。
【先行技術文献】
【特許文献】
【０００５】
【特許文献１】特開２０００−１３４２９４号公報
【特許文献２】特開２０１４−０５３７９９号公報
【特許文献３】実用新案登録第３０３９８５３号公報
【特許文献４】実用新案登録第３０６５２６３号公報
【考案の概要】
【考案が解決しようとする課題】
【０００６】
しかしながら、従来のキーチェーンでは、キーがチェーンからはずれたり、チェーン自体が切れたりしないように、丈夫な構造となっており、チェーン部分の丈夫さを保持しながら、チェーン自体が点灯又は点滅するものではなく、暗いところでも、キー操作を容易に行うことができないという問題点があった。
【０００７】
尚、特許文献１〜４には、携帯端末の着信の動作に応じてストラップが発光したり、ストラップが発光性の材料で形成されていたり、携帯端末のストラップワイヤの挿入口に設けられた光源でストラップワイヤを発光させる構造ではあるが、ワイヤが切れたりしないような丈夫な構造ではなく、更にワイヤをループ形状だけでなく直線形状等に変形させることは記載されていない。
【０００８】
本考案は上記実状に鑑みて為されたもので、チェーン部分をファイバー部として丈夫な構造にして、更に形状を変化させて利用形態を多様にでき、暗い所でもファイバー部分を発光させることでキーの操作性を向上させることができるキーライトを提供することを目的とする。
【課題を解決するための手段】
【０００９】
上記従来例の問題点を解決するための本考案は、キーライトであって、キーが取り付けられるリング部と、発光する本体部、本体部の一端に接続する第１の端部、本体部の他端に接続する第２の端部とを有するファイバー部とを備え、リング部が、第１の端部又は第２の端部に接続し、本体部を発光させる電源と制御部を、第１の端部又は第２の端部に設けたことを特徴とする。
【００１０】
本考案は、上記キーライトにおいて、ファイバー部の本体部をストレート型とし、本体部を折り曲げ可能としたことを特徴とする。
【００１１】
本考案は、上記キーライトにおいて、ファイバー部の本体部をコイル型とし、本体部を伸び縮み可能としたことを特徴とする。
【００１２】
本考案は、上記キーライトにおいて、リング部を第１の端部に接続し、電源と制御部を第１の端部に設け、第２の端部にカラビナ部を接続したことを特徴とする。
【００１３】
本考案は、上記キーライトにおいて、リング部を第２の端部に接続し、電源と制御部を第１の端部に設け、第１の端部にカラビナ部を接続したことを特徴とする。
【００１４】
本考案は、上記キーライトにおいて、制御部が、本体部を点灯又は点滅させるよう発光させることを特徴とする。
【００１５】
本考案は、上記キーライトにおいて、本体部が、芯材として導電性の金属線からなる中央電極、当該中央電極を覆うように、誘電層、発光体となる混合物層、透明電極、バリヤ層、ポリマー層を順に積層したことを特徴とする。
【考案の効果】
【００１６】
本考案によれば、キーが取り付けられるリング部と、発光する本体部、本体部の一端に接続する第１の端部、本体部の他端に接続する第２の端部とを有するファイバー部とを備え、リング部が、第１の端部又は第２の端部に接続し、本体部を発光させる電源と制御部を、第１の端部又は第２の端部に設けたキーライトとしているので、形状を変化させて利用形態を多様にでき、暗い所でも本体部を発光させてキーの操作性を向上させることができる効果がある。
【図面の簡単な説明】
【００１７】
【図１】第１のキーライトの概略構成図である。
【図２】第１の端部１２の内部構成図である。
【図３】第１のキーライトを伸ばした状態を示す概略図である。
【図４】第２のキーライトの概略構成図である。
【図５】第２のキーライトを伸ばした状態を示す概略図である。
【図６】第３のキーライトの概略構成図である。
【図７】第３のキーライトを伸ばした状態を示す概略図である。
【図８】第４のキーライトの概略構成図である。
【図９】第５のキーライトを伸ばした状態を示す概略図である。
【考案を実施するための形態】
【００１８】
本考案の実施の形態について図面を参照しながら説明する。
［実施の形態の概要］
本考案の実施の形態に係るキーライトは、キーが取り付けられるリング部と、電池を内蔵して操作部のスイッチ部の操作によって点灯又は点滅して、容易に切断しないストレート型のファイバー部とを有し、ストレート型ファイバー部の一端がリング部に取り付けられ、ストレート型ファイバー部の他端がリング部に取り外し可能に接続されるようにしているので、ストレート型ファイバー部を丈夫な構成として、ループ形状又は直線形状に変形することができ、更にストレート型ファイバー部を点灯、点滅させて、暗いところでもキー操作を容易にできるものである。
【００１９】
また、本考案の実施の形態に係るキーライトは、キーが取り付けられるリング部と、電池を内蔵して操作部のスイッチ部の操作によって点灯又は点滅して、容易に切断しないコイル型のファイバー部とを有し、コイル型ファイバー部の芯材はらせん状で引張りコイルばねとなっており、コイル型ファイバー部の一端を引っ張ると伸長するものとしているので、コイル型ファイバー部を丈夫な構成として、通常は縮まった状態にあって引っ張ると伸長状態に変形することができ、更にコイル型ファイバー部を点灯、点滅させて、暗いところでもキー操作を容易にできるものである。
【００２０】
［第１のキーライト：図１］
本考案の実施の形態に係る第１のキーライト（第１のキーライト）について図１を参照しながら説明する。図１は、第１のキーライトの概略構成図である。
第１のキーライトは、図１に示すように、ストレート型（タイプ）のキーチェーンの形状をしており、点灯又は点滅するストレート型ファイバー部１と、キーが取り付けられるリング部２とを備えている。
尚、キーライトにおいて、点灯又は点滅する部分がファイバー部となっているため、「ファイバーキーライト」と呼ぶことがある。
【００２１】
［ストレート型ファイバー部１］
ストレート型ファイバー部１は、点灯又は点滅する本体部１１と、本体部１１の一方の端部に形成される第１の端部１２と、本体部１１の他方の端部に形成される第２の端部とを有している。そして、本体部１１が折り曲げ可能なストレートタイプとなっている。
【００２２】
第１の端部１２は、電池を内蔵し、操作部１２ａを備え、リング部２に係止する係止部１２ｂを有する。
第２の端部１３は、第１の端部１２とは反対側の本体部１１の端部に形成され、リング部２に取り外し可能に接続するカラビナ部１３ａを備える。
【００２３】
［本体部１１］
次に、本体部１１の構造について具体的に説明する。尚、本体部１１の構造及び製造方法については、例えば、特許第３４４９９００号「エレクトロルミネセンス光源とその製造方法」に記載されている。
上記特許では、本体部１１は、芯材の可撓性銅線からなる中央電極と、中央電極を電気的に絶縁するために被覆される誘電層と、誘電層を覆うように形成される混合物層と、更に混合物層を覆う透明電極と、透明電極を覆うバリヤ層と、バリヤ層を覆うポリマー層とから構成されている。
【００２４】
誘電層は、シアノエチル澱粉を基材とする軟質の結合材中のＢａＴｉＯ3 粉末で構成される。
混合物層は、シアノエチル澱粉を基材とする軟質の結合材と電場発光体とからなるエレクトロルミネセンス（ＥＬ）層である。
透明電極は、例えば、金、導電性酸化物又は導電性ポリマーを用いる。
バリヤ層は、シリコーン油又はシリコーングリース等の透明な粘性物質で構成される。
ポリマー層は、ポリエチレン又はＰＶＣ（polyvinyl chloride：ポリ塩化ビニル）等の透明で軟質のものを用いる。
【００２５】
本体部１１は、中央電極と透明電極との間に特定の周波数で特定の交流電圧が印加されることにより、発光する。
透明電極が遮断した場合に備えて、透明電極の表面にらせん状に銅線を巻いて追加電極としてもよいし、更に、追加電極の巻線と導電接触状態の比較的強力な補助電極を設けてもよい。
本体部１１は、芯材の銅線と透明で硬質のポリマー層によって、容易に切断しない丈夫な材質とすることができる。
【００２６】
［第１の端部１２］
第１の端部１２は、一端に本体部１１の端部が挿入され、他端にリング部２を貫通させるループ状の係止部１２ｂが形成され、中央には電源をオン／オフする操作部１２ａが形成されている。
【００２７】
本体部１１の端部は、第１の端部１２内に、容易に抜けないように固定されている。
係止部１２ｂは、内部に三日月形状の空間が形成されるよう、ループ形状となっており、リング部２を引っ張っても容易に壊れない素材で形成されている。
【００２８】
［第１の端部１２の内部構造：図２］
次に、第１の端部１２の内部構造について図２を参照しながら説明する。図２は、第１の端部１２の内部構成図である。尚、図２では、三日月形状の空間を形成する係止部１２ｂを形成するものではなく、リング部２の一部を第１の端部１２内に取り込む構成としている。そして、取り込まれたリング部２を貫通するようにネジ止めしているので、リング部２が上側に、第１の端部１２が下側に引っ張られたとしても、容易に壊れるものとはなっていない。
【００２９】
第１の端部１２は、図２に示すように、内部に電池１２ｃと、電源供給部１２ｄと、制御部１２ｅとを備えている。
第１のキーライトでは、電池１２ｃとしてボタン電池２個を直列接続で使用しているが、ボタン電池が１個でも構わない。
【００３０】
電源供給部１２ｄは、操作部１２ａで電源がオンされると、電池１２ｃの電圧が供給される。
リング部２が設けられる側とは反対側の電源供給部１２ｄの端部に本体部１１の端部が取り付けられ、電圧印加によって本体部１１を発光又は点滅させる。
【００３１】
制御部１２ｅは、操作部１２ａの操作によって、電源供給部１２ｄへの電圧印加を制御するもので、本体部１１を発光させ、点灯、点滅、消灯を実現する。
具体的には、操作部１２ａのスイッチを押すと、本体部１１が点灯し、点灯状態で操作部１２ａのスイッチを押すと点滅に変わり、更にスイッチを押すと消灯に変わるものである。
また、消灯状態で、操作部１２ａのスイッチを１回押下すると点灯し、消灯状態でスイッチを連続２回押下すると点滅し、点灯又は点滅状態でスイッチを押下すると、消灯するようにしてもよい。
更に、点滅のバリエーションをプログラムによって実現するようにしてもよい。
【００３２】
［第２の端部１３］
第２の端部１３は、本体部１１の端部を固定する固定部１３ｂと、固定部１３ｂに形成された貫通孔を貫通させた小リング１３ｃと、小リング１３ｃに取り付けられたカラビナ部１３ａとを有している。
カラビナ部１３ａは、リング部２に取り付けてもよく、ズボンのベルトループ、バッグのハンドル、その他様々なものに取り付けることが可能である。
【００３３】
［リング部２］
リング部２は、第１の端部１２に接続するリング本体２ａと、そのリング本体２ａに取り付けられた複数のキー取付部２ｂとを備えている。
リング本体２ａは、第１の端部１２の係止部１２ｂによって形成される三日月形状の空間に貫通されている。リング本体２ａは、二重リングとなっており、その二重リングの端部から係止部１２ｂ、キー取付部２ｂをリング内に取り込むことができるようになっている。
キー取付部２ｂは、洋ナシの輪郭を縦方向に延ばして細くし、上側にくびれを設けた形状となっている。上側の空間にリング本体２ａが貫通し、下側の空間にキーが取り付けられる。
【００３４】
［第１のキーライトを伸ばした状態：図３］
次に、第１のキーライトを伸ばした状態について図３を参照しながら説明する。図３は、第１のキーライトを伸ばした状態を示す概略図である。
図３に示すように、カラビナ部１３ａを係止部１２ｂ又はリング本体２ａから外して、第１の端部１２とは反対側に第２の端部１３を伸ばすことができる。
尚、図３では、直線状にストレート型ファイバー部１を延ばした状態を示したが、ストレート型ファイバー部１は折り曲げ可能であるので、様々な形状に変形して使用することができる。
【００３５】
［第２のキーライト：図４］
次に、本考案の実施の形態に係る第２のキーライト（第２のキーライト）について図４を参照しながら説明する。図４は、第２のキーライトの概略構成図である。
第２のキーライトは、図４に示すように、ファイバー部分（本体部）がコイル状に成形されたコイル型（タイプ）のキーチェーンの形状であり、キーが取り付けられるリング部２と、電池を内蔵して操作部１２ａの操作によって点灯又は点滅して、容易に切断しない芯材及び外側の素材を備えるコイル型ファイバー部１´とを有し、芯材はらせん状で引張りコイルばねとなっており、コイル型ファイバー部１´の一端を引っ張ると伸長し、手を離すと収縮するものである。
【００３６】
これにより、第２のキーライトは、コイル形状のコイル型ファイバー部１´を丈夫な構成として、通常は縮まった状態にあって引っ張ると伸長状態に変形することができ、更にコイル型ファイバー部１´を点灯、点滅させて、暗いところでもキー操作を容易にできるものである。
【００３７】
第２のキーライトは、コイル型ファイバー部１´における本体部１０の一方の端部に形成される第１の端部１２にカラビナ部１３ａが取り付けられ、本体部１０の他方の端部に形成される第２の端部１３にキーが取り付けられるようになっている。
【００３８】
本体部１０は、中央電極の銅線がコイル状に巻かれ、引張りコイルばねとなっている。
本体部１０は、第２の端部１３をリング部２側に引っ張ると伸び、手を離すと第１の端部１２側に戻る構成となっている。つまり、本体部１０が伸縮可能なコイルタイプとなっている。
【００３９】
第２のキーライトにおける第１の端部１２の内部構成は、第１のキーライトのものと同様で、コイル型ファイバー部１´の本体部１０を点灯、点滅、消灯させる制御を行う。
【００４０】
［第２のキーライトを伸ばした状態：図５］
次に、第２のキーライトを伸ばした状態について図５を参照しながら説明する。図５は、第２のキーライトを伸ばした状態を示す概略図である。
図４で示したコイル型ファイバー部１´が縮こまった状態での長さが、例えば５０ｍｍとした場合に、図５に示す、伸ばした状態での長さが、約２２０ｍｍとなるものである。
【００４１】
［第３のキーライト：図６］
次に、本考案の実施の形態に係る第３のキーライト（第３のキーライト）について図６を参照しながら説明する。図６は、第３のキーライトの概略構成図である。
第３のキーライトは、図６に示すように、第１のキーライトによく似たストレートタイプのキーチェーン形状となっている。よって、同一の構成部分には同じ符号を付している。
第１のキーライトと相違する点は、第２の端部１３におけるカラビナ部１３ａ´の形状が「洋梨形」であり、第１のキーライトのカラビナ部１３ａと異なり、形状が大きくなり、リング部２に係止するようになっている。
【００４２】
また、第３のキーライトは、第１の端部１２に係止部１２ｂが形成されておらず、リング部２の一部が第１の端部１２内に取り込まれている。
つまり、図２に示したような構成となっている。
【００４３】
更に、第３のキーライトの操作部１２ａ´は、押しボタン式ではなく、スライド式となっている。具体的には、例えば、消灯位置のポジションが中心で、一方向にスライドさせると点灯し、他方向にスライドさせると点滅するものである。また、操作部１２ａ´を消灯位置のポジションから特定方向に１段階スライドさせると点灯し、２段階スライドさせると点滅するようにしてもよい。
【００４４】
［第３のキーライトを伸ばした状態：図７］
次に、第３のキーライトを伸ばした状態について図７を参照しながら説明する。図７は、第３のキーライトを伸ばした状態を示す概略図である。
第３のキーライトは、カラビナ部１３ａ´をリング部２から取り外して、第１の端部１２とは反対側に第２の端部１３を伸ばしたものである。
【００４５】
［第４のキーライト：図８］
次に、本考案の実施の形態に係る第４のキーライト（第４のキーライト）について図８を参照しながら説明する。図８は、第４のキーライトの概略構成図である。
第４のキーライトは、図８に示すように、第２のキーライトによく似たコイルタイプのキーチェーン形状となっている。よって、同一の構成部分には同じ符号を付している。
第２のキーライトと相違する点は、第１の端部１２におけるカラビナ部１３ａ´の形状が「洋梨形」であり、第２のキーライトのカラビナ部１３ａと異なり、形状が大きくなり、第１の端部１２に接続する中リング１３ｄに固定されている。
【００４６】
第４のキーライトにおける第２の端部１２の構成は、第３のキーライトと同様となっており、操作部１２ａ´の構造も第３のキーライトのものと同様である。
【００４７】
［第４のキーライトを伸ばした状態：図９］
次に、第４のキーライトを伸ばした状態について図９を参照しながら説明する。図９は、第４のキーライトを伸ばした状態を示す概略図である。
図９に示すように、第４のキーライトにおける第１の端部１２を固定して、カラビナ部１３ａ´とは反対側にリング部２を引っ張ると、２２０ｍｍ程度の長さに伸びるようになっている。リング部２を引っ張るのを止めると、図８の形状に戻るものである。
【００４８】
［第１〜４のキーライトの変形例］
第１〜４のキーライトでは、第１の端部１２に操作部１２ａ，１２ａ´、電池１２ｃ、電源供給部１２ｄ、制御部１２ｅを設けているが、第２の端末１３に設けるようにしてもよい。
また、第１の端部１２における各部を、第１の端部１２と第２の端部１３に任意に分散して設けるようにしてもよい。
【００４９】
更に、第１〜４のキーライトにおいて、リング部２のリング本体２ａにキー取付部２ｂが設けられているが、そのキー取付部２ｂより大きく、ズボンのベルトループ等に引っ掛けることができる第２のカラビナ部を設けてもよい。
【００５０】
［第１〜４のキーライトの使用例］
第１〜４のキーライトは、操作部１２ａ，１２ａ´で電源をオンにし、本体部１０，１１を発光させて点灯させ、暗い所での作業、特に鍵の開け閉めを容易に行わせることができるものである。
また、第１〜４のキーライトは、本体部１０，１１を点滅状態とし、身体又はバッグ等に取り付けることで、夜間の歩行、自転車運転等を安全に行うことができるものである。
【００５１】
特に、第２のカラビナ部を備えるキーライトであれば、その第２のカラビナ部をズボンの一つのベルトループに取り付け、カラビナ部１３ａ，１３ａ´を離れた他のベルトループに取り付けるようにすれば、ファイバー部１，１´を伸ばした状態で点灯又は点滅させることができる。
つまり、人の背面の腰部にキーライトを伸ばした状態で取り付けると、夜間の視認性を向上させることができる効果がある。
【００５２】
［実施の形態の効果］
第１，３のキーライトによれば、キーが取り付けられるリング部２と、電池１２ｃを内蔵して操作部１２ａ，１２ａ´の操作によって点灯又は点滅して、容易に切断しないファイバー部１とを有し、ファイバー部１の一端がリング部２に取り付けられ、ストレート型ファイバー部１の他端がリング部２に取り外し可能に接続されるようにしているので、ストレート型ファイバー部１を丈夫な構成として、ループ形状又は直線形状に変形することができ、更にストレート型ファイバー部１を点灯、点滅させて、暗いところでも鍵の開け閉め等のキー操作を容易にできる効果がある。
【００５３】
第２，４のキーライトは、キーが取り付けられるリング部２と、電池１２ｃを内蔵して操作部１２ａ，１２ａ´の操作によって点灯又は点滅して、容易に切断しないコイル部１´とを有し、コイル型ファイバー部１´の芯材はらせん状で引張りコイルばねとなっており、コイル型ファイバー部１´の一端を引っ張ると伸長するものとしているので、コイル型ファイバー部１´を丈夫な構成として、通常は縮まった状態にあって引っ張ると伸長状態に変形することができ、更にコイル型ファイバー部１´を点灯、点滅させて、暗いところでもキー操作を容易にできるものである。
【産業上の利用可能性】
【００５４】
本考案は、チェーン部分をファイバー部として丈夫な構造にして、更に形状を変化させて利用形態を多様にでき、暗い所でもファイバー部分を発光させることでキーの操作性を向上させることができるキーライトに適している。
【符号の説明】
【００５５】
１...ストレート型ファイバー部、  １´...コイル型ファイバー部、  ２...リング部、  ２ａ...リング本体、  ２ｂ...キー取付部、  １１...本体部、  １２...第１の端部、  １２ａ，１２ａ´...操作部、  １２ｂ...係止部、  １２ｃ...電池、  １２ｄ...電源供給部、  １２ｅ...制御部、  １３...第２の端部、  １３ａ，１３ａ´...カラビナ部、  １３ｂ...固定部、  １３ｃ...小リング、  １３ｄ...中リング
【図１】
0003199774.tif 000003
【図２】
0003199774.tif 000004
【図３】
0003199774.tif 000005
【図４】
0003199774.tif 000006
【図５】
0003199774.tif 000007
【図６】
0003199774.tif 000008
【図７】
0003199774.tif 000009
【図８】
0003199774.tif 000010
【図９】
0003199774.tif 000011